(57)【特許請求の範囲】
【請求項１】
公衆網に接続された無線基地局と無線で接続された固定端末装置に複数の電話機を有線で接続し、これら電話機と前記公衆網に接続された複数の他の電話機間で通話できるようにした無線固定端末装置において、
前記有線で接続された電話機のフッキング操作を検出するフッキング検出回路と、ダイヤルトーン・ビジートーン音発生回路と、記憶装置と、制御部とを有し、前記制御部は、前記フッキング検出回路から着信後一定時間検出信号が検出されない場合、前記記憶装置を制御してこれに記録されている伝言を前記無線基地局に送出すると共に、相手電話機からの音声をこれに記録するよう制御し、かつ、前記記憶装置に相手電話機からの音声が記録されている場合、前記ダイヤルトーン・ビジートーン音発生回路の周波数，音量，送出時間の３つの要素の内、少なくとも２つ以上の要素を変化させることによって、使用者に前記音声が記録されていることを認知させるよう制御することを特徴とする無線固定端末装置。
【発明の詳細な説明】
【０００１】
【発明の属する技術分野】
本発明は公衆網に無線を介して接続された無線固定端末装置に有線で接続された電話機と、無線を介して前記公衆網に接続された他の電話機とが発信，着信，通話を行えるようにした無線固定端末装置に関するものである。
【０００２】
【従来の技術】
従来の無線固定端末装置としては図３に示すようなものが知られており、以下これについて説明する。図３はその回路構成を示すブロック図であり、図中、１は無線固定端末装置で、有線で複数の電話機14と接続されている。２は公衆網に接続された基地局との間で無線電波を送受信するアンテナ、３は、アンテナ２より受信した信号を音声信号に復調し、かつ電話機14からの音声信号を変調してこのアンテナ２より送信するための無線部、４は電話機14よりの電話線２線を無線部に接続するために送話用２線と受話用２線の合計４線に変換するための２線−４線変換回路、５は電話機14を接続するための電話線に電流を供給するための電流供給回路、６は電話機14のリンガ音を鳴動させる呼出し音を送出する呼出音発生回路、７は電話機14を接続するための電話線の接続を２線−４線変換回路４または呼出音発生回路６のいずれかに切り換えるためのリレー、８は、電話機14に接続されている電話線の電流を監視することにより、その電話機14のオンフック，オフフックを検出するフッキング検出回路、９は電話機14が送出するＤＴＭＦ( dual tone multi-frequency )信号を検出するＤＴＭＦ検出回路、10は電話機14に送出するダイヤルトーン(以下ＤＴという)音，ビジートーン(以下ＢＴという)音を発生させるＤＴ・ＢＴ音発生回路、11は制御部であり、無線部３とフッキング検出回路８とＤＴＭＦ検出回路９からの信号により、無線部３と呼出音発生回路６とリレー７とＤＴ・ＢＴ音発生回路10を制御し、電話機14が無線を介して公衆網に接続された他の電話機と発信，着信，通話を行えるように制御するものである。
【０００３】
次にその動作を説明する。無線基地局を通じて相手電話機から着信すると、制御部11は無線部３より着信情報を得、呼出音発生回路６とリレー７を制御して電話機14に呼出し音を送出する。これに伴い電話機14がオフフックされると、制御部11はフッキング検出回路８からオフフック情報を入手し、リレー７は制御されて電話機14と相手電話機との送受信が、アンテナ２，無線部３，２線−４線変換回路４を通じて行われる。
【０００４】
このようにして、無線を通じて公衆網に接続された他の電話機と無線固定端末装置に有線で接続された複数の電話機との通話を可能にしている。
【０００５】
【発明が解決しようとする課題】
しかしながら、このような従来の無線固定端末装置にあっては、無線を通じて公衆網に接続された他の電話機と有線で接続された複数の電話機との通話自体は可能であるものの、通話保留の機能がないことや、使用者が不在の場合のいわゆる留守番電話の機能がないこと等が問題であり、このような機能不足は近来の多機能無線通信機器としての大きな問題点となる。これらの機能は無線固定端末装置に接続された複数の電話機自体にそれぞれ設けることは可能であるが、コストの面で極めて不利である。
【０００６】
本発明は、上記従来の問題点を解決するものであり、通話保留の機能や留守番電話の機能を持たせた無線固定端末装置を提供することを目的とする。
【０００７】
【課題を解決するための手段】
本発明の無線固定端末装置は、公衆網に接続された無線基地局と無線で接続された固定端末装置に複数の電話機を有線で接続し、これら電話機と前記公衆網に接続された複数の他の電話機間で通話できるようにした無線固定端末装置において、前記有線で接続された電話機のフッキング操作を検出するフッキング検出回路と、ダイヤルトーン・ビジートーン音発生回路と、記憶装置と、制御部とを有し、前記制御部は、前記フッキング検出回路から着信後一定時間検出信号が検出されない場合、前記記憶装置を制御してこれに記録されている伝言を前記無線基地局に送出すると共に、相手電話機からの音声をこれに記録するよう制御し、かつ、前記記憶装置に相手電話機からの音声が記録されている場合、前記ダイヤルトーン・ビジートーン音発生回路の周波数，音量，送出時間の３つの要素の内、少なくとも２つ以上の要素を変化させることによって、使用者に前記音声が記録されていることを認知させるよう制御するものである。
【０００８】
本発明によれば、留守番電話機能を有しない電話機を使用している場合でも、使用者不在時における着信相手に伝言をしたり、記録した相手の音声を使用者の操作によって聞き取ることを可能とし、無線固定端末装置側でこれらの機能を発揮させることができる無線固定端末装置が得られる。
【０００９】
【発明の実施の形態】
以下、本発明の各実施の形態について図面を参照しつつ説明する。なお、前記従来のものと同一部分は同一符号を用いるものとする。
【００１０】
図１は本発明の無線固定端末装置の実施の形態における参考例の構成を示すブロック図であり、図中、１は無線固定端末装置で、有線で複数の電話機14と接続されている。２は公衆網に接続された基地局との間で無線電波を送受信するアンテナ、３は、アンテナ２より受信した信号を音声信号に復調し、かつ電話機14からの音声信号を変調してこのアンテナ２より送信するための無線部、４は電話機14よりの電話線２線を無線部３に接続するために送話用２線と受話用２線の合計４線に変換するための２線−４線変換回路、５は電話機14を接続するための電話線に電流を供給するための電流供給回路、６は電話機14のリンガ音を鳴動させる呼出し音を送出する呼出音発生回路、７は電話機14を接続するための電話線の接続を２線−４線変換回路４または呼出音発生回路６のいずれかに切り換えるためのリレー、８は電話機14に接続されている電話線の電流を監視することにより、その電話機14のオンフック，オフフックを検出するフッキング検出回路、11は電話機14が無線を介して公衆網に接続される他の電話機との発信，着信，通話，保留等の制御を行う制御部であり、12は無線を通じて相手に保留を知らせるメロディーを送出する保留音発生回路である。
【００１１】
次にその動作を説明する。無線基地局を通じて相手電話機から着信すると、制御部11は無線部３より着信情報を得、呼出音発生回路６とリレー７を制御して電話機14に呼出し音を送出する。これに伴い電話機14がオフフックされると、制御部11はフッキング検出回路８からオフフック情報を入手し、リレー７は制御されて電話機14と相手電話機との送受信が、アンテナ２，無線部３，２線−４線変換回路４を通じて行われる。このようにして、無線を通じて公衆網に接続された他の電話機と無線固定端末装置と有線で接続された複数の電話機との通話が始まった後、その通話中に、使用者が任意の間隔で使用電話機のフック操作を行うと、フッキング検出回路８はその情報を制御部11に送り、制御部11はリレー７を制御して電話機14を呼出音発生回路６に接続し、この呼出音発生回路６においては使用者が保留中であることが分かる周波数，音量，送出間隔を可変させた信号を生成し、電話機14に送出する。これと同時に相手方には保留音発生回路12より保留を知らせるメロディーを送出する。
【００１２】
このように本参考例によれば、保留機能を有しない電話機を使用している場合でも、使用者が任意の間隔のフック操作を行えば無線固定端末装置側で簡単に保留機能を発揮させることができる。
【００１３】
図２は本発明の無線固定端末装置の実施の形態における構成を示すブロック図であり、図中、１は無線固定端末装置で、有線で複数の電話機14と接続されている。２は公衆網に接続された基地局との間で無線電波を送受信するアンテナ、３はアンテナ２より受信した信号を音声信号に復調し、かつ電話機14からの音声信号を変調してこのアンテナ２より送信するための無線部、４は電話機14よりの電話線２線を無線部３に接続するために送話用２線と受話用２線の合計４線に変換するための２線−４線変換回路、５は電話機14を接続するための電話線に電流を供給するための電流供給回路、６は電話機14のリンガ音を鳴動させる呼出し音を送出する呼出音発生回路、７は電話機14を接続するための電話線の接続を２線−４線変換回路４または呼出音発生回路６のいずれかに切り換えるためのリレー、８は、電話機14に接続されている電話線の電流を監視することにより、その電話機14のオンフック，オフフックを検出するフッキング検出回路、９は電話機14が送出するＤＴＭＦ信号を検出するＤＴＭＦ検出回路、10は電話機14に送出するＤＴ音，ＢＴ音を発生させるＤＴ・ＢＴ音発生回路、11は制御部であり、無線部３とフッキング検出回路８とＤＴＭＦ検出回路９からの信号により、無線部３と呼出音発生回路６とリレー７とＤＴ・ＢＴ音発生回路10を制御し、電話機14が無線を介して公衆網に接続された他の電話機と発信，着信，通話を行えるようにしている。13は相手への伝言と相手からの音声を記録する記憶装置であり、使用者不在の場合、制御部11により制御される。
【００１４】
次にその動作を説明する。無線基地局を通じて相手電話機から着信すると、制御部11は無線部３より着信情報を得、呼出音発生回路６とリレー７を制御して電話機14に呼出し音を送出する。これに伴い電話機14がオフフックされると、制御部11はフッキング検出回路８からオフフック情報を入手し、リレー７は制御されて電話機14と相手電話機との送受信が、アンテナ２，無線部３，２線−４線変換回路４を通じて行われ、この機能は前記従来のものと同様であるが、使用者不在の場合等、呼出し音送出からある一定時間内にフッキング検出回路８からオフフック情報が検出されない場合の対応が本実施の形態の骨子である。
【００１５】
即ち、このように呼出し音送出からある一定時間内にフッキング検出回路８からオフフック情報が検出されない場合、制御部11は無線部３と記憶装置13を制御して無線基地局に対してこの記憶装置13に記録されている伝言を送り出し、その一定時間後には相手からの音声を記憶装置13に記録する制御を行う。また、この制御部11は、記憶装置13に音声の記録が存在する場合、ＤＴ・ＢＴ音発生回路10を制御し、ＤＴ音の周波数，音量，送出時間の３つの要素の内、少なくとも２つ以上の要素を変化させることによって使用者に前記音声記録の存在を認知させ、更に使用者が電話機14の特定のダイヤル操作を行うことにより、記憶装置13にある記録音声の内容を聞き取ることが可能である。
【００１６】
このように本実施の形態によれば、使用者不在時の着信相手に伝言を伝え、また、相手の音声を記録しておき、使用者の操作によって記録音声の内容を聞き取ることを可能とし、留守番電話機能を有しない電話機を使用している場合でも、これらの機能を発揮させることができる。
【００１７】
なお、前記の参考例と実施の形態を合体させることにより、保留機能と留守番電話機能を併せ持った無線固定端末装置を提供することも可能である。
【００１８】
【発明の効果】
以上のように本発明によれば、留守番電話機能を有しない電話機を使用している場合でも、使用者不在時における着信相手に伝言をしたり、記録した相手の音声を使用者の操作によって聞き取ることを可能とし、無線固定端末装置側でこれらの機能を発揮させることができるという有利な効果が得られる。
【図面の簡単な説明】
【図１】  本発明の無線固定端末装置の実施の形態における参考例の構成を示すブロック図である。
【図２】  本発明の無線固定端末装置の実施の形態における構成を示すブロック図である。
【図３】  従来の無線固定端末装置の構成を示すブロック図である。
【符号の説明】
１…無線固定端末装置、  ２…アンテナ、  ３…無線部、  ４…２線−４線変換回路、  ５…電流供給回路、  ６…呼出音発生回路、  ７…リレー、  ８…フッキング検出回路、  ９…ＤＴＭＦ検出回路、  10…ＤＴ・ＢＴ音発生回路、  11…制御部、  12…保留音発生回路、  13…記憶装置、  14…電話機。
【図１】
0003765126.tif 000002
【図２】
0003765126.tif 000003
【図３】
0003765126.tif 000004